(57)【要約】【課題】部品点数を低減させることで大型化することを抑制しつつ、収容部内に塵埃が侵入することを抑制する。【解決手段】基板側コネクタ２０と相手側コネクタ６０とが嵌合する一対の光コネクタ１０であって、基板側コネクタ２０には、相手側コネクタ６０の相手側ハウジング６２が内部に嵌合される収容部２４が前方に向かって開口した形態で設けられており、収容部２４には、基板側コネクタ２０と相手側コネクタ６０とが嵌合する際に、相手側ハウジング６２に押圧されて収容部２４の奥側に弾性的に倒れ込んで収容部２４の開口を開放し、ハウジング２１と相手側ハウジング６２とが離脱する際に、収容部２４の開口を閉止する弾性変形可能なシャッタ５０が設けられているところに特徴を有する。【選択図】図３
2014025956.tif 000002
【特許請求の範囲】
【請求項１】
一方のコネクタと他方のコネクタとが嵌合する一対の光コネクタであって、
前記一方のコネクタには、前記他方のコネクタが内部に嵌合される収容部が前記他方のコネクタ側に向かって開口した形態で設けられており、
前記収容部には、
前記一方のコネクタと前記他方のコネクタと嵌合する際に、前記他方のコネクタに押圧されて前記収容部の奥側に弾性的に倒れ込んで前記収容部の開口を開放し、
前記他方のコネクタが離脱する際に、前記他方のコネクタの進入経路に進入して前記収容部の開口を閉止する、
弾性変形可能なシャッタが設けられている光コネクタ。
【請求項２】
前記他方のコネクタは、引っ掛け部を備えており、
前記一方のコネクタと前記他方のコネクタとが離脱する際に、前記引っ掛け部が前記シャッタを引っ掛けて前記収容部の奥側から前記収容部の外側に向かって前記シャッタを引き出す請求項１に記載の光コネクタ。
【請求項３】
前記収容部は、略矩形状に開口しており、
前記シャッタは、板状の弾性部材からなり、前記収容部の開口縁における一側縁に一体に固着されている請求項１または請求項２に記載の光コネクタ。
【請求項４】
前記シャッタは、ゴム材である請求項１乃至請求項３の何れか一項に記載の光コネクタ。
【請求項５】
前記シャッタは、前記収容部の開口縁を外側から覆う覆い部を備えている請求項１乃至請求項４の何れか一項に記載の光コネクタ。
【請求項６】
前記他方のコネクタは、引っ掛け部を備えており、
前記覆い部は、前記シャッタが前記収容部の奥側に弾性的に倒れ込んだ際に、前記収容部の内壁から僅かに離れるように形成されており、
前記引っ掛け部は、前記覆い部を引っ掛けることで、前記シャッタを引き出す請求項５記載の光コネクタ。
【発明の詳細な説明】
【技術分野】
【０００１】
本発明は、シャッタを備えた光コネクタに関する。
【背景技術】
【０００２】
従来、光ファイバの端末に装着されたフェルールがハウジング内に収容され、光ファイバから出射される出射光を遮ると共に、フェルールが収容された収容部に塵埃が浸入することを抑制するシャッタを備えた光コネクタとして、特許文献１記載のものが知られている。シャッタは平板状をなし、ハウジング内における収容部の開口部に回動可能に組み付けられている。
また、シャッタは、出射光の光路に進入して光路と交差した状態となることで収容部の開口部を閉止する閉止位置と、出射光の光路から退避して光路と平行した状態となることで開口部を開放する開放位置との間を回動可能とされている。そして、シャッタは、ハウジングと相手側ハウジングとが嵌合する際に、相手側ハウジングによって嵌合方向後方に押圧されることで開放位置に回動し、収容部を開放して出射光を相手側ハウジング側に通過させる。また、シャッタは、相手側ハウジングとハウジングとが離脱する際に、相手側ハウジングによる押圧状態が解除されて、シャッタに組み付けられたばね部材によって付勢されることで閉止位置に回動し、収容部を閉止して防塵すると共に、出射光を遮る。
【先行技術文献】
【特許文献】
【０００３】
【特許文献１】特開２００２−２６７８８７号公報
【発明の概要】
【発明が解決しようとする課題】
【０００４】
ところで、上記のような構成によると、シャッタを開放位置から閉止位置へ付勢するばね部材が必要なため、光コネクタが大型化してしまう。また、部品点数が増加してシャッタ構造が複雑になってしまい、その結果、組立工数が増加することで光コネクタの製造コストが高くなってしまう。
【０００５】
本発明は上記のような事情に基づいて完成されたものであって、光コネクタについて、部品点数を低減させることで大型化することを抑制しつつ、収容部内に塵埃が侵入することを抑制する技術を提供することを目的とする。
【課題を解決するための手段】
【０００６】
上記の目的を達成するための手段として本発明は、一方のコネクタと他方のコネクタとが嵌合する一対の光コネクタであって、前記一方のコネクタには、前記他方のコネクタが内部に嵌合される収容部が前記他方のコネクタ側に向かって開口した形態で設けられており、前記収容部には、前記一方のコネクタと前記他方のコネクタと嵌合する際に、前記他方のコネクタに押圧されて前記収容部の奥側に弾性的に倒れ込んで前記収容部の開口を開放し、前記他方のコネクタが離脱する際に、前記他方のコネクタの進入経路に進入して前記収容部の開口を閉止する、弾性変形可能なシャッタが設けられているところ特徴を有する。
このような構成の光コネクタによると、両コネクタが嵌合する際に、シャッタが弾性的に倒れ込んで収容部の開口を開放し、両コネクタが離脱する際に、シャッタが収容部の開口を閉止することができ、収容部内に塵埃が侵入することを防ぐことができる。また、上記の構成によると、シャッタ機構を簡素化して部材点数を大幅削減することができる。これにより、光コネクタが大型化したり、組立工数が増加したりすることを抑制することができる。ひいては、光コネクタの製造コストを低減させることができる。
【０００７】
本発明の実施の態様として、以下の構成が好ましい。
前記他方のコネクタは、引っ掛け部を備えており、前記一方のコネクタと前記他方のコネクタとが離脱する際に、前記引っ掛け部が前記シャッタを引っ掛けて前記収容部の奥側から前記収容部の外側に向かって前記シャッタを引き出す構成としてもよい。
このような構成によると、仮にシャッタが収容部内において倒れ込んだままの状態となってしまい、シャッタ自体の弾性復帰力のみでは収容部の開口を閉止することができないような場合でも、引っ掛け部によってシャッタを引っ掛けてシャッタを外側に向かって引き出すことでシャッタを弾性復帰し易くすることができる。これにより、収容部の開口をシャッタによって確実に閉止することができる。
【０００８】
前記収容部は、略矩形状に開口しており、前記シャッタは、板状の弾性部材からなり、前記収容部の開口縁における一側縁に一体に固着されている構成としてもよい。
このような構成によると、例えば、シャッタを収容部の開口縁に溶着させたり、接着剤によって接着したりすることでシャッタを収容部に一体に固着させているので、シャッタをハウジングに取り付けるピンやヒンジなどの固定部材を別途用意する必要がない。これにより、さらに、シャッタの取り付け構造を簡素化することができる。また、シャッタが板状に形成されているので、収容部内においてシャッタが倒れ込んだ際に、シャッタを配するスペースを大きく設ける必要がなく、光コネクタ全体が大型化することを抑制することができる。
前記シャッタは、ゴム材である構成としてもよい。このような構成によると、シャッタを安価に製造することができる。また、ゴム材の弾性復帰力によって、シャッタを容易に開閉することができる。
【０００９】
前記シャッタは、前記収容部の開口縁を外側から覆う覆い部を備えている構成としてもよい。
このような構成によると、収容部の開口縁を外側から覆うようにして収容部の開口を閉止することができるので、シャッタが開放位置側に傾斜して配されることを抑制することができる。これにより、シャッタに覆い部が設けられていないものに比べて、塵埃が収容部内に浸入することを確実に抑制することができる。
【００１０】
前記他方のコネクタは、引っ掛け部を備えており、前記覆い部は、前記シャッタが前記収容部の奥側に弾性的に倒れ込んだ際に、前記収容部の内壁から僅かに離れるように形成されており、前記引っ掛け部は、前記覆い部を引っ掛けることで、前記シャッタを引き出す構成としてもよい。
このような構成によると、引っ掛け部によってシャッタを引っ掛けやすくすることができる。また、収容部の開口縁を覆う覆い部を、引っ掛け部で引っ掛ける被係合部として兼用することができるので、シャッタに被係合部を別途設ける必要がない。これにより、光コネクタが大型化することを抑制すると共に、光コネクタの製造コストを低減させることができる。
【発明の効果】
【００１１】
本発明によれば、光コネクタについて、部品点数を低減させることで大型化することを抑制しつつ、収容部内に塵埃が侵入することを抑制することができる。
【図面の簡単な説明】
【００１２】
【図１】基板側コネクタの斜視図
【図２】基板側コネクタの分解斜視図
【図３】基板側コネクタと相手側コネクタとが嵌合した状態を示す断面図
【図４】基板側コネクタから相手側コネクタが僅かに離脱した状態を示す断面図
【図５】基板側コネクタから相手側コネクタが半分以上離脱した状態を示す断面図
【図６】基板側コネクタから相手側コネクタが完全に離脱した状態を示す断面図
【発明を実施するための形態】
【００１３】
＜実施形態＞
本発明の実施形態について図１乃至図６を参照して説明する。
本実施形態は、外部基板Ｂに固定される基板側コネクタ（「一方のコネクタ」の一例）２０と、この基板側コネクタ２０と嵌合可能な相手側コネクタ（「他方のコネクタ」の一例）６０とを備えた光コネクタ１０を例示している。なお、以下の説明において、上下方向とは図３における上下方向を基準とし、前後方向とは図３における左右方向を基準とし、それぞれのコネクタ２０，６０が互いに相手と嵌合する側を前方とする。
【００１４】
相手側コネクタ６０は、図３乃至図６に示すように、光コードＷの端末に接続されるフェルール６１と、このフェルール６１を内部に収容する相手側ハウジング６２とを備えて構成されている。
フェルール６１は、略円筒状をなし、光コードＷの端末において、シースＷ２を皮剥した光ファイバＷ１に固定されている。
【００１５】
相手側ハウジング６２は、合成樹脂製であって、フェルール６１を載置可能なロアハウジング６３と、このロアハウジング６３に対して上方から組み付けられるアッパーハウジング６４とを備えて構成されている。アッパーハウジング６４は、フェルール６１が載置されたロアハウジング６３に対して上方から組み付けられ、ロアハウジング６３およびアッパーハウジング６４との間に設けられた図示しないロック機構によってロックされることにより、ロアハウジング６３に一体に組み付けられるようになっている。そして、ロアハウジング６３に載置されたフェルール６１は、ロアハウジング６３とアッパーハウジング６４とによって上下方向から挟み込まれることで、相手側ハウジング６２内に抜止されている。
【００１６】
基板側コネクタ２０は、図１および図２に示すように、合成樹脂製のハウジング２１と、ハウジング２１内に収容される光接続部材３０と、ハウジング２１を覆うシールドシェル４０とを備えて構成されている。
ハウジング２１は、前側に開口する箱型状をなし、上側に開口するハウジング本体部２２と、ハウジング本体部２２の上側開口を塞ぐ蓋部２３とを備えて構成されている。ハウジング本体部２２は、前側（相手側コネクタ６０側）に向かって略矩形状に開口した収容部２４を有しており、この収容部２４内には、前側開口から相手側ハウジング６２が嵌合可能とされている。そして、収容部２４と相手側ハウジング６２とが正規に嵌合されると、図３に示すように、収容部２４内には、相手側ハウジング６２の半分以上が収容されるようになっている。また、ハウジング２１における収容部２４の後方には、光接続部材３０が収容されている。
【００１７】
光接続部材３０は、図３乃至図６に示すように、光電変換素子３１が実装された第一内部基板３２と、第一内部基板３２にフレキシブル基板３３を介して接続される第二内部基板３４と、第一内部基板３２に固定される一対のスリーブ部材３５とを備えて構成されている。
第二内部基板３４は、光接続部材３０の後部に配されており、第二内部基板３４は、フレキシブル基板（Ｆｌｅｘｉｂｌｅ Ｐｒｉｎｔｅｄ Ｃｉｒｃｕｉｔ Ｂｏａｒｄ）３３の上面及び下面の双方に、プリント配線技術により導電路が形成されたプリント基板が積層されたものからなる。また、第二内部基板３４の上面及び下面には、それぞれ複数の電子部品Ｕが実装されている。
【００１８】
第二内部基板３４の後端寄りの位置には、棒状をなす複数の金属製の端子３６が接続されている。各端子３６は、一方の端部が、図２に示すように、第二内部基板３４を貫通した状態で、第二内部基板３４に形成された導電路に接続され、他方の端部がハウジング本体部２２の底壁に形成された端子挿通孔２２Ａに圧入されて、図３および図６に示すように、ハウジング本体部２２の底壁から下方に突出している。また、ハウジング本体部２２から下方に突出した各端子３６は、外部基板Ｂに形成されたスルーホールＢ１に挿通され、半田付け等の公知の手法により、外部基板Ｂに形成された導電路に電気的に接続されている。
第二内部基板３４の前縁には、図３に示すように、前方に延びた後、下方に屈曲した一対のフレキシブル基板３３が設けられており、このフレキシブル基板３３の前面には、光電変換素子３１が実装された第一内部基板３２が積層されている。
【００１９】
光電変換素子３１は、受光素子もしくは発光素子である。受光素子としてはフォトダイオードが用いられ、発光素子としてはＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ）が用いられている。また、第一内部基板３２は、図２に示すように、一対の基板３２Ａ，３２Ａからなり、一方の基板３２Ａに受光型の光電変換素子３１が実装され、他方の基板３２Ａに発光型の光電変換素子３１が実装されている。また、受光型の光電変換素子３１が実装された基板３２Ａの前面には、光電変換素子３１と共に、光電変換素子３１に電気的に接続されるトランスインピーダンスアンプ（図示せず）が実装されている。これに対して、発光型の光電変換素子３１が実装された基板３２Ａの前面には、光電変換素子３１と共に、光電変換素子３１に電気的に接続されるドライバ（図示せず）が実装されている。
【００２０】
また、第一内部基板３２には、光電変換素子３１等の電子部品を覆う形で、スリーブ部材３５が固定されている。スリーブ部材３５は、少なくとも光通信に使用される光の光透過性を有する樹脂(例えば、ＰＥＩ(ポリエーテルイミド樹脂)，ＰＣ(ポリカーボネート樹脂)，ＰＭＭＡ(ポリメタクリル酸メチル樹脂)等）によって形成されている。なお、ここでいう「光透過性」とは、光通信で使用する波長（例えば、０．４μｍ〜２μｍ）に対して、光透過率が９０％以上のものである。
【００２１】
スリーブ部材３５は、第一内部基板３２の基板３２Ａにそれぞれ個別に固定されており、スリーブ部材３５の前側部分は、図３に示すように、ハウジング２１における収容部２４の奥壁２５から収容部２４の内部空間に突出した状態となっている。また、スリーブ部材３５の前端部は、相手側コネクタ６０のフェルール６１と嵌合可能とされており、相手側コネクタ６０と基板側コネクタ２０とが正規の嵌合状態になると、スリーブ部材３５とフェルール６１とが正規の嵌合状態となって、フェルール６１内の光ファイバＷ１と光電変換素子３１とが光学的に結合されるようになっている。
【００２２】
シールドシェル４０は、金属板材をプレス加工することで形成されている。シールドシェル４０は、前方および下方に開口しており、ハウジング２１に上方から組み付けられることにより、ハウジング２１の前後方向略中央部から後側部分を覆うようになっている。また、シールドシェル４０の幅方向両側面における下端部には、下方に突出する一対の接続脚部４１がそれぞれ形成されている。一対の接続脚部４１は、外部基板Ｂに設けられたアース用のスルーホールＢ２に挿通されて、半田付け等の公知の方法により、アース接続されている。これにより、ハウジング２１におけるシールドシェル４０に覆われた部分が電磁的にシールドされるようになっている。
【００２３】
さて、ハウジング２１の収容部２４における下側開口縁２４Ａには、薄肉のゴム材（「弾性部材」の一例）からなる略矩形板状のシャッタ５０が一体に固着されている。
シャッタ５０は、同シャッタ５０の下側縁５０Ａの一辺が収容部２４の下側開口縁２４Ａに固着されており、シャッタ５０を固着させる方法としては、例えば、収容部２４の下側開口縁２４Ａを溶融させて下側開口縁２４Ａとシャッタ５０とを溶着させたり、接着剤によって下側開口縁２４Ａとシャッタ５０とを接着させたりすることでシャッタ５０の下側縁５０Ａを収容部２４の下側開口縁２４Ａに一体に固定している。つまり、本実施形態のシャッタ５０は、収容部２４の下側開口縁２４Ａに安価なゴム製のシャッタ５０の下側縁５０Ａを固着させているので、従来のようにシャッタをハウジングにピンやヒンジで取り付ける場合に比べて、シャッタ５０の取り付け構造を簡素化し、部品点数を低減させることができる。ひいては、光コネクタ１０の製造コストを低減させることができる。
【００２４】
シャッタ５０は、収容部２４に固着された基端部を支点に、前後方向に弾性変形可能とされており、収容部２４の底壁２４Ｃに沿うように収容部２４の奥側に倒れこんで収容部２４の前側開口を開放する開放位置と、収容部２４の前側開口の開口方向と略直交する上方向に立ち上がることで相手側ハウジング６２の進入経路に進入して収容部２４の前側開口を閉止する閉止位置との間を変位可能とされている。
【００２５】
シャッタ５０は、その高さ寸法が収容部２４の前側開口の高さ寸法よりもやや大きく設定され、その幅寸法が収容部２４の前側開口の幅寸法とほぼ同一に設定されている。また、シャッタ５０の上縁および下縁の二辺は、その他の部分よりも僅かに前方に張り出した形態とされ、シャッタ５０の上側縁は、収容部２４の上側開口縁２４Ｂを前方から覆う覆い部５１とされている。そして、シャッタ５０が閉止位置に配され、収容部２４の前側開口がシャッタ５０によって塞がれて閉止されると、シャッタ５０の覆い部５１によって収容部２４の上側開口縁２４Ｂが前方から覆われると共に、シャッタ５０の幅方向両側縁が収容部２４の両側開口縁に沿って配される。すなわち、覆い部５１によって収容部２４の上側開口縁２４Ｂを外側から覆うことで、シャッタ５０が前側(開放位置側）に傾斜した位置ずれした状態に配されることを防ぐことができる。これにより、収容部２４の前側開口がシャッタ５０によって完全に塞がれ、収容部２４内に塵埃が侵入したり、光接続部材３０から出射される光が収容部２４から外部へ漏れたりすることを防ぐことができるようになっている。
【００２６】
また、シャッタ５０は、相手側ハウジング６２が収容部２４内に挿入される際に、相手側ハウジング６２によって後方に押圧されて収容部２４の奥側に倒れこむ。そして、シャッタ５０における基端部から覆い部５１の手前までの部分が収容部２４の底壁２４Ｃの上面に接触し、収容部２４の底壁２４Ｃの前側半分がシャッタに覆われた状態となる。また、覆い部５１は、収容部２４の底壁２４Ｃから上方に僅かに離れた状態となる。すなわち、本実施形態によると、薄肉のシャッタ５０が収容部２４の底壁２４Ｃに沿って配されることから、収容部２４内にシャッタ５０を格納するスペースを大きく設ける必要がなく、収容部２４が大型化することを抑制することができる。
【００２７】
一方、相手側ハウジング６２の前側下端部には、下方に向かってブロック状に突出する引っ掛け部６５が形成されている。引っ掛け部６５は、相手側ハウジングの全幅に亘って形成されており、引っ掛け部６５が設けられた部分の相手側ハウジング６２の外周形状は、収容部２４の内周形状とほぼ同一とされている。そして、相手側ハウジング６２が収容部２４内に正規に嵌合されると、相手側ハウジング６２の上面６２Ａが収容部２４の天井壁に沿って配され、引っ掛け部６５の下面６５Ａが収容部２４の底壁２４Ｃに沿って配された状態となるように設定されている。
【００２８】
つまり、相手側ハウジング６２において、引っ掛け部６５よりも後方部分の下面は、引っ掛け部６５の下面６５Ａよりも上側に位置することになり、引っ掛け部６５よりも後方（収容部２４の前側開口側）で、かつ収容部２４の底壁２４Ｃと相手側ハウジング６２の外壁との間には、引き出し空間Ｓが形成されるようになっている。また、引き出し空間Ｓ内には、閉止位置に配されたシャッタ５０が配され、シャッタ５０の覆い部５１が引っ掛け部６５と同一の高さ位置に配されるようになっている。
【００２９】
また、相手側ハウジング６２が収容部２４から離脱する際には、引き出し空間Ｓ内において覆い部５１が引っ掛け部６５と同じ高さ位置に配されていることから、覆い部５１に対して引っ掛け部６５が収容部２４の奥側から引っ掛かり、相手側ハウジング６２の下面に沿った状態のシャッタ５０が引き出し空間Ｓを通して収容部２４の外側に引き出される。詳しくは、相手側ハウジング６２が収容部２４から半分程度引き出されると、引っ掛け部６５が覆い部５１に収容部２４の奥側から引っ掛かり、シャッタ５０の基端部が外側（前側）に向かって屈曲することでシャッタ５０が２つに折り畳まれる。そして、２つに折り畳まれたシャッタ５０は、相手側ハウジング６２の下面に沿った状態で引き出し空間Ｓを通して収容部２４から完全に外側に引き出される。
収容部２４から外側に引き出されたシャッタ５０は、ゴム材の弾性復帰力により閉止位置に戻り、覆い部５１によって収容部２４の上側開口縁２４Ｂを前側から覆うようにして、収容部２４の前側開口を閉止するようになっている。
【００３０】
本実施形態の光コネクタ１０は、以上のような構成であって、続いて、光コネクタ１０の嵌合操作および離脱操作を簡単に説明すると共に、その作用および効果について説明する。
【００３１】
まず、基板側コネクタ２０と相手側コネクタ６０とを嵌合させる際には、両コネクタ２０，６０を向かい合わせに配置する。このとき、基板側コネクタ２０の前側開口は、シャッタ５０によって塞がれて閉止されており、収容部２４内に塵埃が侵入したり、光接続部材３０から発せられる光が収容部２４から外部へ漏れたりすることが防止されている。
【００３２】
次に、基板側コネクタ２０の収容部２４内に相手側ハウジング６２を挿入するようにして両コネクタ２０，６０を嵌合させると、シャッタ５０が相手側ハウジング６２によって、後方に押圧されて収容部２４の奥側に弾性的に倒れこみ、収容部２４の底壁２４Ｃに接触した状態となる。
【００３３】
さらにそのまま両コネクタ２０，６０を嵌合させると、覆い部５１が引っ掛け部６５によって収容部２４の底壁２４Ｃ側に押し潰されて引っ掛け部６５が覆い部５１を乗り越え、覆い部５１が弾性復帰することで覆い部５１と引っ掛け部６５とが同じ高さ位置となって、両コネクタ２０，６０が正規の嵌合状態に至る。
【００３４】
次に、基板側コネクタ２０と相手側コネクタ６０を離脱させる際には、収容部２４から相手側ハウジング６２を引き出す。この過程において、相手側ハウジング６２が収容部２４から半分程度引き出されると、図４に示すように、引っ掛け部６５が覆い部５１に収容部２４の奥側から引っ掛かる。そして、さらに、相手側ハウジング６２が収容部２４から引き出されると、図５に示すように、シャッタ５０の基端部が外側（前側）に向かって屈曲することでシャッタ５０が２つに折り畳まれる。そして、２つに折り畳まれたシャッタ５０が相手側ハウジング６２の下面に沿った状態で、引き出し空間Ｓを通して収容部２４から外側に引き出される。
【００３５】
すなわち、本実施形態によると、閉止位置において収容部２４の上側開口縁２４Ｂを前側から覆う覆い部５１を、相手側ハウジング６２の引っ掛け部６５によって引っ掛ける被係合部として兼用することができる。これにより、シャッタ５０に被係合部を別途設ける必要がなく、シャッタ５０が大型化することを抑制すると共に、光コネクタ１０の製造コストを低減させることができるようになっている。
【００３６】
そして、図６に示すように、相手側ハウジング６２が収容部２４から完全に離脱すると、シャッタ５０も収容部２４から完全に引き出され、ゴム材の弾性復帰力によりシャッタ５０が閉止位置に配される。すなわち、本実施形態によると、ゴム材の弾性復帰力によって、シャッタ５０を開放位置から閉止位置に容易に変位させることができる。また、シャッタ５０は収容部２４から完全に引き出されてから閉止位置に配されるので、シャッタ５０が収容部２４の内壁などに引っ掛かるなどして閉止位置に弾性復帰できなくなることを防ぐことができる。
【００３７】
ところで、両コネクタ２０，６０が嵌合した状態で長い期間が経過すると、シャッタ５０が収容部２４の底壁２４Ｃに貼り付いたり、シャッタ５０の基端部が屈曲した状態のままになったりするなどして、ゴム材の弾性復帰力のみでは、シャッタ５０が閉止位置に向かって起き上がってこない虞がある。ところが、本実施形態によると、シャッタ５０自体の弾性復帰力によって閉止位置に弾性復帰できないような状態の場合でも、引っ掛け部６５によってシャッタ５０を引っ掛けることで、シャッタ５０を閉止位置に弾性復帰し易くすることができる。
【００３８】
また、仮にシャッタ５０を軽く引っ掛けて、シャッタが弾性復帰するためのきっかけを作るだけの引っ掛け部を形成する場合、シャッタが弾性復帰する最中に収容部２４の内壁などに引っ掛かるなどして閉止位置へ完全に戻らない虞がある。ところが、本実施形態によると、シャッタ５０を収容部２４から完全引き出してから閉止位置に配することから、シャッタ５０を閉止位置に確実に配することができる。
【００３９】
以上のように、本実施形態の光コネクタ１０によると、収容部２４の下側開口縁２４Ａに安価なゴム材からなるシャッタ５０を固着させることにより、両ハウジング２１，６２を嵌合させることで、シャッタ５０が収容部２４の奥側に倒れ込んで、収容部２４の前側開口を開放し、両ハウジング２１，６２を離脱させることで、シャッタ５０を収容部２４から引き出して収容部２４の前側開口を確実に閉止することができる。すなわち、従来の光コネクタに比べて、部品点数を大幅に削減して簡素なシャッタ機構としたことで、光コネクタ１０が大型化したり、組立工数が増加したりすることを抑制することができる。ひいては、光コネクタ１０の製造コストを低減させることができる。
【００４０】
また、仮にシャッタ５０が収容部２４の底壁２４Ｃに接触した状態のままとなって、シャッタ５０自体の弾性復帰力によって閉止位置に弾性復帰することができないような場合においても、相手側ハウジング６２の引っ掛け部６５によってシャッタ５０の覆い部５１を引っ掛けてシャッタ５０を閉止位置まで弾性復帰し易くすることができる。これにより、シャッタ５０を閉止位置に確実に配することができる。
【００４１】
さらに、本実施形態によると、収容部２４の底壁２４Ｃと相手側ハウジング６２の下面との間に形成した引き出し空間Ｓを使ってシャッタ５０を収容部２４の外側に完全に引き出す構成となっているので、シャッタ５０を引っ掛け部６５によって引き出す際に、シャッタ５０が収容部２４の底壁２４Ｃと相手側ハウジング６２の下面との間において潰れて丸まったり、撓んだりするなどして、シャッタ５０が収容部２４内に留まってしまうことを抑制することができる。
【００４２】
＜他の実施形態＞
本発明は上記記述及び図面によって説明した実施形態に限定されるものではなく、例えば次のような実施形態も本発明の技術的範囲に含まれる。
（１）上記実施形態では、基板側コネクタ２０にシャッタ５０を設けた構成としたが、本発明はこのような態様に限定されるものではなく、例えば、光ケーブルの端末に接続されるコネクタにシャッタに適用させてもよい。
（２）上記実施形態では、収容部２４の前側開口を略矩形状に構成したが、本発明はこのような態様に限定されるものではなく、例えば、収容部の前側開口を円形や正方形に構成してもよい。
（３）上記実施形態では、シャッタ５０をゴム材によって構成したが、本発明はこのような態様に限定されるものではなく、例えば、ゴムと同じような弾性を備える素材であればよく、樹脂などの他の素材でもよい。
【００４３】
（４）上記実施形態では、収容部２４の前側開口縁にシャッタ５０を設けた構成としたが、本発明はこのような態様に限定されるものではなく、例えば、収容部の内壁にシャッタを設けた構成としてもよい。
（５）上記実施形態では、シャッタ５０を収容部２４から完全に引き出して閉止位置に配する構成としたが、本発明はこのような態様に限定されるものではなく、例えば、シャッタによって収容部の開口を完全に閉止できれば、シャッタを収容部から完全に引き出さなくてもよい。
（６）上記実施形態では、シャッタ５０の上側縁の一辺に覆い部５１を設けた構成としたが、本発明はこのような態様に限定されるものではなく、例えば、シャッタの両側の側縁にも覆い部を設けてもよい。
（７）上記実施形態では、引っ掛け部６５をブロック状に構成したが、本発明はこのような態様に限定されるものではなく、例えば、引っ掛け部を爪形状に構成してもよい。
【符号の説明】
【００４４】
１０：光コネクタ
２０：基板側コネクタ（一方のコネクタ）
２４：収容部
５０：シャッタ
５１：覆い部
６０：相手側コネクタ（他方のコネクタ）
６５：引っ掛け部
【図１】
2014025956.tif 000003
【図２】
2014025956.tif 000004
【図３】
2014025956.tif 000005
【図４】
2014025956.tif 000006
【図５】
2014025956.tif 000007
【図６】
2014025956.tif 000008